(57)【要約】【課題】複数の宛先を指定する場合において、画像の誤送信を容易に防止することを可能とする。【解決手段】ユーザによる、画像の宛先を指定するための操作である宛先指定操作を受け付け、宛先指定操作が複数回受け付けられた場合、宛先指定操作が受け付けられる毎に、受け付けた該宛先指定操作に対応する宛先の情報を追加表示する。【選択図】図６
2010153997.tif 000002
【特許請求の範囲】
【請求項１】
画像を送信するための画像送信装置であって、
ユーザによる、画像の宛先を指定するための操作である宛先指定操作を受け付ける受付部と、
前記受付部が前記宛先指定操作を複数回受け付けた場合、前記受付部が前記宛先指定操作を受け付ける毎に、受け付けた該宛先指定操作に対応する宛先の情報を追加表示する表示部とを備える、
画像送信装置。
【請求項２】
前記表示部は、前記受付部が受け付けた最新のＭ（２以上の整数）回の宛先指定操作にそれぞれ対応するＭ個の宛先の情報を表示する、
請求項１に記載の画像送信装置。
【請求項３】
前記表示部は、予め設定された複数の宛先にそれぞれ対応する複数の表示要素を表示し、
複数の前記宛先指定操作のうち少なくとも１つの宛先指定操作は、前記表示部が表示する前記複数の表示要素のいずれかを指定するための操作である、
請求項１または２に記載の画像送信装置。
【請求項４】
複数の前記宛先指定操作のうち少なくとも１つの宛先指定操作は、ファクシミリ番号を指定するための操作である、
請求項１〜３のいずれかに記載の画像送信装置。
【請求項５】
表示部を備え、画像を送信するための画像送信装置が行なう宛先表示方法であって、
ユーザによる、画像の宛先を指定するための操作である宛先指定操作を受け付ける受付ステップと、
前記受付ステップにより前記宛先指定操作が複数回受け付けられた場合、前記受付ステップにより前記宛先指定操作が受け付けられる毎に、受け付けた該宛先指定操作に対応する宛先の情報を前記表示部に追加表示させる表示ステップとを備える、
宛先表示方法。
【請求項６】
表示部を備え、画像を送信するためのコンピュータが実行する宛先表示プログラムであって、
ユーザによる、画像の宛先を指定するための操作である宛先指定操作を受け付ける受付ステップと、
前記受付ステップにより前記宛先指定操作が複数回受け付けられた場合、前記受付ステップにより前記宛先指定操作が受け付けられる毎に、受け付けた該宛先指定操作に対応する宛先の情報を前記表示部に追加表示させる表示ステップと
をコンピュータに実行させるための宛先表示プログラム。
【発明の詳細な説明】
【技術分野】
【０００１】
本発明は、画像送信装置、宛先表示方法および宛先表示プログラムに関し、特に、画像の宛先の情報を表示するための画像送信装置、宛先表示方法および宛先表示プログラムに関する。
【背景技術】
【０００２】
画像を、複数の宛先に送信する機能を有するファクシミリ装置等の画像送信装置が普及しつつある。そのため、画像送信装置における複数の宛先の入力に関する様々な技術が開示されている。
【０００３】
例えば、特許文献１には、操作者により複数の宛先（送信先）が入力された後、原稿がセットされていると判断された場合、入力された複数の宛先の情報を一覧表示する技術（以下、従来技術Ａという）が開示されている。
【特許文献１】特開２００３−２８３７３４号公報
【発明の開示】
【発明が解決しようとする課題】
【０００４】
しかしながら、従来技術Ａでは、操作者（以下、ユーザともいう）により複数の宛先が入力された後、原稿がセットされていると判断された場合、入力された複数の宛先の情報が一覧表示される。そのため、入力された複数の宛先のうち、例えば、１番目の宛先が間違っていた場合、ユーザが当該１番目の宛先の間違いに気づかない可能性がある。また、従来技術Ａでは、１番目の宛先から順次画像が送信される。
【０００５】
そのため、１番目の宛先が間違っていた場合、仮に、ユーザが当該１番目の宛先の間違いに気づいたとしても、当該間違いに気づいたときが、当該１番目の宛先へ画像が送信された後であれば、画像の誤送信は防ぐことができない。すなわち、従来技術Ａでは、画像の誤送信が生じる可能性があるという問題点がある。
【０００６】
本発明は、上述の問題点を解決するためになされたものであって、その目的は、複数の宛先を指定する場合において、画像の誤送信を容易に防止することを可能とする画像送信装置等を提供することである。
【課題を解決するための手段】
【０００７】
上述の課題を解決するために、この発明のある局面に従うと、画像を送信するための画像送信装置は、ユーザによる、画像の宛先を指定するための操作である宛先指定操作を受け付ける受付部と、受付部が宛先指定操作を複数回受け付けた場合、受付部が宛先指定操作を受け付ける毎に、受け付けた該宛先指定操作に対応する宛先の情報を追加表示する表示部とを備える。
【０００８】
すなわち、宛先指定操作が複数回受け付けられた場合、宛先指定操作を受け付けられる毎に、受け付けた該宛先指定操作に対応する宛先の情報が追加表示される。そのため、ユーザは、宛先指定操作を行なう毎に、当該宛先指定操作に対応する宛先の情報を確認することができる。
【０００９】
したがって、仮に、宛先指定操作に対応する宛先情報が間違っていたとしても、ユーザは、当該宛先情報の間違いに容易に気づくことができる。この場合、ユーザは、例えば、間違った宛先情報に対応する宛先を削除するための操作を行なった後、正しい宛先指定操作を行なうことで、間違った宛先情報を容易に修正することができる。
【００１０】
つまり、複数の宛先を指定する場合において、画像の宛先の誤入力（誤った宛先指定操作）を容易に防ぐことができる。その結果、複数の宛先を指定する場合において、画像の誤送信を容易に防止することができる。
【００１１】
この発明の他の局面に従うと、表示部を備え、画像を送信するための画像送信装置が行なう宛先表示方法は、ユーザによる、画像の宛先を指定するための操作である宛先指定操作を受け付ける受付ステップと、受付ステップにより宛先指定操作が複数回受け付けられた場合、受付ステップにより宛先指定操作が受け付けられる毎に、受け付けた該宛先指定操作に対応する宛先の情報を表示部に追加表示させる表示ステップとを備える。
【００１２】
すなわち、宛先指定操作が複数回受け付けられた場合、宛先指定操作を受け付けられる毎に、受け付けた該宛先指定操作に対応する宛先の情報が追加表示される。そのため、ユーザは、宛先指定操作を行なう毎に、当該宛先指定操作に対応する宛先の情報を確認することができる。
【００１３】
したがって、仮に、宛先指定操作に対応する宛先情報が間違っていたとしても、ユーザは、当該宛先情報の間違いに容易に気づくことができる。この場合、ユーザは、例えば、間違った宛先情報に対応する宛先を削除するための操作を行なった後、正しい宛先指定操作を行なうことで、間違った宛先情報を容易に修正することができる。
【００１４】
つまり、複数の宛先を指定する場合において、画像の宛先の誤入力（誤った宛先指定操作）を容易に防ぐことができる。その結果、複数の宛先を指定する場合において、画像の誤送信を容易に防止することができる。
【００１５】
この発明のさらに他の局面に従う宛先表示プログラムは、表示部を備え、画像を送信するためのコンピュータが実行するプログラムである。宛先表示プログラムは、ユーザによる、画像の宛先を指定するための操作である宛先指定操作を受け付ける受付ステップと、受付ステップにより宛先指定操作が複数回受け付けられた場合、受付ステップにより宛先指定操作が受け付けられる毎に、受け付けた該宛先指定操作に対応する宛先の情報を表示部に追加表示させる表示ステップとをコンピュータに実行させるためのプログラムである。
【００１６】
すなわち、宛先指定操作が複数回受け付けられた場合、宛先指定操作を受け付けられる毎に、受け付けた該宛先指定操作に対応する宛先の情報が追加表示される。そのため、ユーザは、宛先指定操作を行なう毎に、当該宛先指定操作に対応する宛先の情報を確認することができる。
【００１７】
したがって、仮に、宛先指定操作に対応する宛先情報が間違っていたとしても、ユーザは、当該宛先情報の間違いに容易に気づくことができる。この場合、ユーザは、例えば、間違った宛先情報に対応する宛先を削除するための操作を行なった後、正しい宛先指定操作を行なうことで、間違った宛先情報を容易に修正することができる。
【００１８】
つまり、複数の宛先を指定する場合において、画像の宛先の誤入力（誤った宛先指定操作）を容易に防ぐことができる。その結果、複数の宛先を指定する場合において、画像の誤送信を容易に防止することができる。
【発明の効果】
【００１９】
本発明により、複数の宛先を指定する場合において、画像の誤送信を容易に防止することができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜第１の実施の形態＞
（システムの構成）
図１は、本実施の形態におけるネットワークシステム１０００の構成を示す図である。図１に示されるように、ネットワークシステム１０００は、画像形成装置１００と、端末装置２０１と、端末装置２０２と、ルーター６０とを含む。
【００２２】
画像形成装置１００は、ＭＦＰ（Multifunction Peripheral）である。画像形成装置１００は、ＦＡＸ機能、コピー機能、プリンタ機能、スキャナ機能等の複数の機能を有する。なお、画像形成装置１００は、ＭＦＰに限定されることなく、たとえば、ＦＡＸ機能、コピー機能、プリンタ機能の少なくとも１つの機能を有する装置であってもよい。
【００２３】
端末装置２０１および端末装置２０２は、ＰＣ（Personal Computer）である。
画像形成装置１００、端末装置２０１、端末装置２０２およびルーター６０は、ネットワーク２０に接続される。ネットワーク２０は、たとえば、ＬＡＮ（Local Area Network）である。
【００２４】
ルーター６０は、ネットワーク２０とインターネット７０とを接続する機能を有する。
端末装置２０１および端末装置２０２の各々は、ネットワーク２０を介して、画像形成装置１００とデータ通信を行なう。
【００２５】
なお、端末装置２０１および端末装置２０２の少なくとも一方は、ネットワークシステム１０００に含まれなくてもよい。また、端末装置２０１および端末装置２０２は、ネットワークシステム１０００に含まれなくてもよい。
【００２６】
また、画像形成装置１００は、ＰＳＴＮ（Public Switched Telephone Network：公衆交換電話網）４０を利用して、画像形成装置１０１とデータ通信を行なう。
【００２７】
画像形成装置１０１は、画像形成装置１００と同じ装置である。
【００２８】
（画像形成装置）
次に、画像形成装置１００について詳細に説明する。
【００２９】
図２は、画像形成装置１００内のハードウエア構成を示したブロック図である。なお、図２には、説明のために、記録媒体５０も示している。記録媒体５０には、後述するプログラム５１が記録されている。すなわち、プログラム５１は、媒体等に記録されてプログラム製品として流通される。また、記録媒体５０もプログラム製品として流通される。
【００３０】
図２に示されるように、画像形成装置１００は、制御部１１０と、ＲＡＭ（Random Access Memory）１２０と、記憶部１２２と、記憶媒体アクセス部１３０とを備える。制御部１１０、ＲＡＭ１２０、記憶部１２２および記憶媒体アクセス部１３０は、データバス１０２に接続されている。
【００３１】
制御部１１０は、ＣＰＵ（Central Processing Unit）である。なお、制御部１１０は、ＣＰＵに限定されることなく、演算機能を有するその他の回路であってもよい。
【００３２】
ＲＡＭ１２０は、揮発性のメモリである。ＲＡＭ１２０は、制御部１１０によってデータアクセスされる。ＲＡＭ１２０は、一時的にデータを記憶するワークメモリとしての機能を有する。
【００３３】
記憶部１２２は、不揮発性のメモリである。記憶部１２２は、たとえば、ハードディスクドライブである。なお、記憶部１２２は、ハードディスクドライブに限定されることなく、不揮発的のメモリであれば、その他のメモリ（たとえば、フラッシュメモリ）であってもよい。記憶部１２２は、制御部１１０によって、データアクセスされる。記憶部１２２には、プログラム５１、その他の各種データ等が記憶されている。
【００３４】
制御部１１０は、記憶部１２２に記憶されているプログラム５１を実行し、プログラム５１に基づいて、画像形成装置１００内の各部に対する各種処理や、演算処理等を行なう。
【００３５】
記憶媒体アクセス部１３０は、制御部１１０からの指示により、プログラム５１が記憶された記録媒体５０から、プログラム５１を読み出す機能を有する。記録媒体５０に記憶されているプログラム５１は、制御部１１０が行なうインストール処理により、記憶媒体アクセス部１３０により読み出され、記憶部１２２に記憶される。このインストール処理用プログラムは、予め、記憶部１２２に格納されている。インストール処理は、制御部１１０が、インストール処理用プログラムに基づいて行なう。
【００３６】
記録媒体５０は、ＳＤ（Secure Digital）メモリーカードである。なお、記録媒体５０は、ＳＤメモリーカードに限定されることなく、データを不揮発的に記録可能なその他の媒体であってもよい。
【００３７】
画像形成装置１００は、さらに、操作パネル部３００を備える。
操作パネル部３００は、データバス１０２に接続されている。操作パネル部３００は、表示部３１０と、入力部３２０とを有する。
【００３８】
図３は、操作パネル部３００の外観を示す図である。
表示部３１０は、文字や画像等を表示する機能を有する。表示部３１０には、文字や画像等を表示する表示面が設けられる。表示部３１０は、ＬＣＤパネル（Liquid Crystal Display Panel）を使用した装置である。なお、表示部３１０は、上記以外の表示方式のパネルを使用した装置であってもよい。
【００３９】
また、表示部３１０は、ユーザが、表示面に直接触れることで、情報入力可能なタッチパネル機能を有する。表示部３１０は、ユーザが表示面にタッチした位置情報を、制御部１１０へ送信する。制御部１１０は、受信した位置情報に基づいて、所定の処理を行なう。すなわち、表示部３１０は、ユーザが画像形成装置１００を操作するためのインターフェースである。
【００４０】
入力部３２０は、数字ボタン群３２２を含む。数字ボタン群３２２は、複数の数字ボタンを含む。数字ボタン群３２２に含まれる複数の数字ボタンの各々は、ユーザにより押下されることにより、数字を入力するためのボタンである。入力部３２０は、さらに、画像形成装置１００を操作するための複数のボタンを含む。
【００４１】
入力部３２０は、当該入力部３２０に含まれる複数のボタンのうち、ユーザにより押下操作されたボタンに対応するボタン信号を、制御部１１０へ送信する。制御部１１０は、受信したボタン信号に基づいて、所定の処理を行なう。すなわち、入力部３２０は、ユーザが画像形成装置１００を操作するためのインターフェースである。以下においては、ユーザによる、表示部３１０の表示面に対するタッチ操作または入力部３２０の操作を、インターフェース操作Ｍともいう。
【００４２】
再度、図２に示されるように、画像形成装置１００は、さらに、スキャナ部１５０と、印刷部１６０と、通信部１７０と、モデム１７２と、ＮＣＵ１７４とを備える。
【００４３】
スキャナ部１５０は、原稿を読み取ることにより画像を取得する機能を有する。原稿は、例えば、紙等の媒体である。以下においては、スキャナ部１５０が原稿を読み取ることにより画像を取得する処理を、原稿読取り処理という。
【００４４】
印刷部１６０は、紙等の媒体に、指示された画像または文字を印字してプリントアウトする機能（以下、印刷機能という）を有する。以下においては、印刷部１６０が、紙等の媒体に、画像または文字を印字してプリントアウトするための処理を印刷処理という。
【００４５】
通信部１７０は、有線技術または無線技術を利用して、ネットワーク２０に接続される装置とデータ通信を行なう機能を有する。有線技術は、たとえば、イーサネット（登録商標）に基づく技術である。なお、有線技術は、イーサネット（登録商標）に基づく技術に限定されることなく、その他の有線技術であってもよい。
【００４６】
無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。
【００４７】
モデム１７２は、ファクシミリ送信される画像データを変調したり、外部からファクシミリ送信されてきた画像データを復調する機能を有する。
【００４８】
ＮＣＵ１７４は、ＰＳＴＮ４０と接続される回線終端装置である。
【００４９】
（宛先指定操作対応処理）
次に、ユーザによる画像の宛先を指定する操作（以下、宛先指定操作という）により行なわれる処理（以下、宛先指定操作対応処理という）について説明する。ここで、宛先指定操作により指定される画像の宛先とは、スキャナ部１５０により原稿が読み取られることにより取得される画像の宛先（送信先）である。本実施の形態においては、記憶部１２２は、予め、以下の宛先データテーブル９１を記憶している。
【００５０】
図４は、一例としての宛先データテーブル９１を示す図である。宛先データテーブル９１は、複数の宛先データを含む。
【００５１】
図４に示されるように、宛先データテーブル９１において、「番号」とは、宛先データを特定するための番号である。宛先データは、宛先名称を示す。また、宛先データは、ファクシミリ番号および電子メールアドレスの少なくとも一方を示す。
【００５２】
例えば、番号“２”の宛先データは、宛先名称「秋田支店」と、ファクシミリ番号としての“０１−２２２２−３３３３”とを示す。
【００５３】
ここで、画像形成装置１００の表示部３１０は、以下の選択画像６０１を表示しているとする。
【００５４】
図５は、一例としての選択画像６０１を示す図である。図５に示されるように、選択画像６０１には、複数の宛先ボタン画像が配置される。複数の宛先ボタン画像の一部は、宛先ボタン画像６１１，６１２，６１３，６１４である。
【００５５】
選択画像６０１に配置される複数の宛先ボタン画像には、宛先データテーブル９１に示される複数の宛先データがそれぞれ対応づけられる。
【００５６】
例えば、宛先ボタン画像６１１，６１２，６１３，６１４は、それぞれ、番号“１”，“２”，“３”，“４”の宛先データが対応づけられる。また、選択画像６０１に配置される複数の宛先ボタン画像の各々には、対応づけられた宛先データが示す宛先名称が示される。また、選択画像６０１に配置される複数の宛先ボタン画像の各々には、対応づけられた宛先データが示すファクシミリ番号または電子メールアドレスが示される。
【００５７】
選択画像６０１には、さらに、宛先確認画像６２０が配置される。
宛先確認画像６２０には、宛先指定操作に基づく宛先の情報（以下、宛先情報という）が表示される。宛先指定操作は、宛先選択操作または宛先直接入力操作のいずれかである。宛先選択操作は、選択画像６０１に配置される複数の宛先ボタン画像のいずれかを押下処理するためのインターフェース操作Ｍである。
【００５８】
また、宛先直接入力操作は、例えば、ファクシミリ番号を入力するために行われる、図３の数字ボタン群３２２に含まれる数字ボタンを押下するためのインターフェース操作Ｍである。
【００５９】
宛先確認画像６２０には、最新のＭ（２以上の整数）回の宛先指定操作にそれぞれ対応するＭ個の宛先情報が表示される。宛先確認画像６２０に表示される宛先情報は、宛先指定操作が宛先選択操作である場合、宛先選択操作により押下処理された宛先ボタン画像に対応する宛先名称である。この場合、宛先情報は、たとえば、後述する図７の宛先情報６２１である。
【００６０】
また、宛先確認画像６２０に表示される宛先情報は、宛先指定操作が、ファクシミリ番号を入力するための宛先直接入力操作である場合、当該ファクシミリ番号である。
【００６１】
図６は、宛先指定操作対応処理のフローチャートである。
ステップＳ１１１では、制御部１１０が、宛先指定操作があるか否かを判定する。宛先指定操作は、前述した宛先選択操作または宛先直接入力操作である。ステップＳ１１１において、ＹＥＳならば、処理はステップＳ１１２に移行する。一方、ステップＳ１１１において、ＮＯならば、再度、ステップＳ１１１の処理が行なわれる。ここで、宛先指定操作があったとする。この場合、処理はステップＳ１１２に移行する。
【００６２】
ステップＳ１１２では、宛先確認画像６２０内に表示されている宛先情報の個数がＭ（２以上の自然数）個であるか否かが判定される。具体的には、制御部１１０が、宛先指定操作がＭ回行なわれたか否かを判定する。ここで、Ｍは、一例として、“５”であるとする。
【００６３】
ステップＳ１１２において、ＹＥＳならば、処理は後述するステップＳ１１４に移行する。一方、ステップＳ１１２において、ＮＯならば、処理はステップＳ１１３に移行する。ここでは、ＮＯであるとして、処理はステップＳ１１３に移行する。
【００６４】
ステップＳ１１３では、宛先情報追加表示処理が行なわれる。宛先情報追加表示処理では、制御部１１０が、行なわれた宛先指定操作に対応する宛先情報を、宛先確認画像６２０内に追加表示した選択画像を生成する。なお、制御部１１０は、宛先確認画像６２０内に既に宛先情報が表示されている場合、最新の宛先情報の下に、宛先指定操作に対応する宛先情報を、追加表示した選択画像を生成する。
【００６５】
そして、制御部１１０は、生成した選択画像を表示部３１０に表示させるための処理を行なう。そして、再度、ステップＳ１１１の処理が行なわれる。
【００６６】
次に、宛先確認画像６２０内に表示されている宛先情報の個数がＭ個である場合の処理について説明する。この場合、ステップＳ１１２でＹＥＳと判定され、処理はステップＳ１１４に移行する。
【００６７】
ステップＳ１１４では、宛先情報表示更新処理が行なわれる。宛先情報表示更新処理では、宛先確認画像６２０内に表示されているＭ個の宛先情報のうち、最も古い宛先情報を削除して、最新の宛先情報の下に、宛先指定操作に対応する宛先情報を、追加表示した選択画像を生成する。すなわち、宛先情報表示更新処理により、宛先確認画像６２０内に表示される宛先情報は、最新のＭ回の宛先指定操作にそれぞれ対応するＭ個の宛先情報となる。
【００６８】
そして、制御部１１０は、生成した選択画像を表示部３１０に表示させるための処理を行なう。そして、再度、ステップＳ１１１の処理が行なわれる。
【００６９】
ここで、宛先指定操作が５回行なわれたとする。１番目の宛先指定操作は、図５の宛先ボタン画像６１１を押下処理するための宛先選択操作であるとする。２番目の宛先指定操作は、宛先ボタン画像６１２を押下処理するための宛先選択操作であるとする。３番目の宛先指定操作は、宛先ボタン画像６１３を押下処理するための宛先選択操作であるとする。４番目の宛先指定操作は、ファクシミリ番号“０５６６６６７７７７”入力するための宛先直接入力操作であるとする。５番目の宛先指定操作は、宛先ボタン画像６１４を押下処理するための宛先選択操作であるとする。
【００７０】
この場合、ステップＳ１１１〜Ｓ１１４の少なくとも一部の処理が５回繰り替えし行なわれることにより、表示部３１０には、以下の選択画像６０２が表示される。
【００７１】
図７は、一例としての選択画像６０２を示す図である。図７に示されるように、選択画像６０２は、図５の選択画像６０１と比較して、宛先確認画像６２０の代わりに宛先確認画像６２９が配置される点が異なる。それ以外は、宛先確認画像６２０と同様なので詳細な説明は繰り返さない。
【００７２】
宛先確認画像６２９には、前述した５回の宛先指定操作に対応する宛先情報６２１，６２２，６２３，６２４，６２５が表示される。例えば、宛先情報６２２は、前述した２番目の宛先指定操作に対応する宛先情報である。宛先情報６２４は、前述した４番目の宛先指定操作に対応する宛先情報である。
【００７３】
なお、宛先情報６２１，６２２，６２３，６２４，６２５の各々は、宛先指定操作が行なわれ、ステップＳ１１３の処理が行なわれる毎に順次追加表示される。すなわち、１〜５番目の宛先指定操作が順次行なわれる毎に、当該宛先指定操作に対応する宛先情報が表示部３１０に追加表示される。
【００７４】
以上説明したように、本実施の形態では、宛先指定操作が複数回行なわれた場合、宛先指定操作が行なわれる毎に、当該宛先指定操作に対応する宛先情報が表示部３１０に追加表示される。そのため、ユーザは、宛先指定操作を行なう毎に、当該宛先指定操作に対応する宛先情報を確認することができる。また、宛先指定操作が複数回行なわれたことを、容易に確認することができる。
【００７５】
したがって、仮に、宛先指定操作に対応する宛先情報が間違っていたとしても、ユーザは、当該宛先情報の間違いに容易に気づくことができる。この場合、ユーザは、間違った宛先情報に対応する宛先を削除するための操作を行なった後、正しい宛先指定操作を行なうことで、間違った宛先情報を容易に修正することができる。
【００７６】
つまり、複数の宛先を指定する場合において、画像の宛先の誤入力（誤った指定操作）を容易に防ぐことができる。その結果、複数の宛先を指定する場合において、画像の誤送信を容易に防止することができる。
【００７７】
また、本実施の形態では、最新のＭ回の宛先指定操作にそれぞれ対応するＭ個の宛先情報が表示部３１０に表示される。したがって、ユーザは、最新のＭ個の宛先情報を容易に確認することができる。すなわち、複数の宛先を指定する場合において、利便性を向上することができる。
【００７８】
（機能ブロック図）
図８は、本発明に係る画像形成装置１００の特徴的な機能構成を示すブロック図である。つまり、図８は、図２に示されるハードウエア構成によって実現される画像形成装置１００の機能のうち、本発明に関わる機能を示すブロック図である。なお、図８には、説明のために、表示部３１０を示す。
【００７９】
画像形成装置１００は、機能的には、受付部３０１を含む。
受付部３０１は、ユーザによる、画像の宛先を指定するための操作である宛先指定操作を受け付ける。すなわち、受付部３０１は、図２における、タッチパネル機能を有する表示部３１０と、入力部３２０とに対応する。
【００８０】
表示部３１０は、受付部３０１が宛先指定操作を複数回受け付けた場合、受付部３０１が宛先指定操作を受け付ける毎に、受け付けた該宛先指定操作に対応する宛先の情報を追加表示する。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８２】
本発明は、複数の宛先を指定する場合において、画像の誤送信を容易に防止することを可能とする画像送信装置として、利用することができる。
【図面の簡単な説明】
【００８３】
【図１】本実施の形態におけるネットワークシステムの構成を示す図である。
【図２】画像形成装置内のハードウエア構成を示したブロック図である。
【図３】操作パネル部の外観を示す図である。
【図４】一例としての宛先データテーブルを示す図である。
【図５】一例としての選択画像を示す図である。
【図６】宛先指定操作対応処理のフローチャートである。
【図７】一例としての選択画像を示す図である。
【図８】本発明に係る画像形成装置の特徴的な機能構成を示すブロック図である。
【符号の説明】
【００８４】
１００  画像形成装置
１１０  制御部
１２２  記憶部
１５０  スキャナ部
１６０  印刷部
１７０  通信部
３００  操作パネル部
１０００  ネットワークシステム
【図１】
2010153997.tif 000003
【図２】
2010153997.tif 000004
【図３】
2010153997.tif 000005
【図４】
2010153997.tif 000006
【図５】
2010153997.tif 000007
【図６】
2010153997.tif 000008
【図７】
2010153997.tif 000009
【図８】
2010153997.tif 000010